(57)【要約】【課題】本発明の目的は、部品点数を少なくしつつも、トイレットペーパーホルダーに一切触れることなく、容易に片手で所望の長さのトイレットペーパーを引きし切断することのできるトイレットペーパーホルダー及びトイレットペーパー切断部材を提供することである。【解決手段】トイレットペーパー切断部材（１０）は、薄板形状で構成される。トイレットペーパーを引き出すための開口部（１０ａ）と開口部（１０ａ）の下方に引きだしたトイレットペーパーの一部を略束状に収束させてから切断するための収束切断部（１０ｂ）を有し、トイレットペーパーホルダーのトイレットペーパーカバーの先端に取付可能である。【選択図】図２
2020039491.tif 000002
【特許請求の範囲】
【請求項１】
薄板形状で構成され、トイレットペーパーを引き出すことが可能な開口部と前記開口部の下方に引きだしたトイレットペーパーの一部を略束状に収束させてから切断することが可能となる収束切断部を備え、トイレットペーパーホルダーに取付可能である、トイレットペーパー切断部材。
【請求項２】
薄板形状で構成されたトイレットペーパーカバーに、トイレットペーパーを引き出すことが可能な開口部と前記開口部の下方に引きだしたトイレットペーパーの一部を略束状に収束させてから切断することが可能となる収束切断部を備えた、トイレットペーパーホルダー。
【発明の詳細な説明】
【技術分野】
【０００１】
本発明はトイレットペーパーホルダー及びトイレットペーパー切断部材に関し、特に使用者がトイレットペーパーホルダーに一切触れることなく、容易に所望の長さのトイレットペーパーを引き出すことのできるトイレットペーパーホルダー及びトイレットペーパー切断部材に関する。
【背景技術】
【０００２】
駅や病院等のトイレ設備に設けられるトイレットペーパーホルダーは、不特定多数の人が使用する。このような場所で一般的に用いられているトイレットペーパーホルダーは、その構造上、トイレットペーパーを切り離す際にトイレットペーパーカバーを上から押えることが不可欠であるため、衛生上の問題がある。一方、トイレットペーパ端部が常時、切断具上面に引き出されている状態となることにより、トイレットペーパを引き出すことが可能となるトイレットペーパ用切断具がある（特許文献１）。
【先行技術文献】
【特許文献】
【０００３】
【特許文献１】特開２００４−３２９８１５号公報
【発明の概要】
【発明が解決しようとする課題】
【０００４】
しかし、特許文献１に示すトイレットペーパ用切断具（２、２Ａ）では、カット刃（１７ａ、２５ａ）を備えたカット体（１７、２５）を有するため、部品点数が多くなるという問題がある。また、特許文献１に示すトイレットペーパ用切断具（２、２Ａ）を用いても、容易に片手でトイレットペーパーを切り離すことができないという問題がある。
【０００５】
本発明は、このようなことに鑑みてなされたものであり、部品点数を少なくしつつも、トイレットペーパーホルダーに一切触れることなく、片手でも容易に所望の長さのトイレットペーパーを引きし切断することのできるトイレットペーパーホルダー及びトイレットペーパー切断部材を提供することである。
【課題を解決するための手段】
【０００６】
上記目的は、薄板形状で構成され、トイレットペーパーを引き出すための開口部（１０ａ、２１ａ、３０ａ）と、前記開口部の下方に引きだしたトイレットペーパーの一部を略束状に収束させてから切断するための収束切断部（１０ｂ、２２ｂ、３０ｂ）を有し、トイレットペーパーホルダーのトイレットペーパーカバーの先端に取付可能である、トイレットペーパー切断部材（１０、２０、３０、５０）、によって達成できる。
【０００７】
また、上記目的は、上記のトイレットペーパー切断部材（１０、２０、３０、５０）であって、第一の方向に伸びる第一部材（２１）と第二の方向に伸びる第二部材（２２）で構成され、前記第一部材に前記開口部（１０ａ、２１ａ、３０ａ、５０ａ）が設けられ、前記第二部材に前記収束切断部（１０ｂ、２２ｂ、３０ｂ、５０ｂ）が設けられ、前記第一の方向と前記第二の方向の交わる鋭角は、６０度以上である、トイレットペーパー切断部材（１０、２０、３０、５０）、によって達成できる。
【０００８】
また、上記目的は、上記のトイレットペーパー切断部材（１０、２０、３０、５０）であって、前記収束切断部（１０ｂ、２２ｂ、３０ｂ、５０ｂ）は、前記第二部材の端部に略三角形の切欠形状を設けることで構成される、トイレットペーパー切断部材、によって達成できる。
【０００９】
また、上記目的は、上記のトイレットペーパー切断部材（１０、２０、３０、５０）であって、前記収束切断部（１０ｂ、２２ｂ、３０ｂ、５０ｂ）は、前記第二部材の下端の中央に設けられる、トイレットペーパー切断部材（１０、２０、３０、５０）、によって達成できる。
【００１０】
また、上記目的は、薄板形状で構成されたトイレットペーパーカバー部に、トイレットペーパーを引き出すための開口部と前記開口部の下方に引き出したトイレットペーパーの一部を略束状に収束させてから切断するための収束切断部が設けられる、トイレットペーパーホルダー、によって達成できる。
【発明の効果】
【００１１】
本発明によれば、部品点数を少なくしつつも、トイレットペーパーホルダーに一切触れることなく、片手でも容易に所望の長さのトイレットペーパーを引き出し切断することのできるトイレットペーパーホルダー及びトイレットペーパー切断部材を提供することができる。また、本発明によれば、トイレットペーパーホルダーに残されたトイレットペーパーに使用した人の手が触れることがないため、使用者の衛生面が保たれる。
【図面の簡単な説明】
【００１２】
【図１】本発明の第１の実施の形態によるトイレットペーパー切断部材１０の構成を説明する図である。
【図２】本発明の第１の実施の形態によるトイレットペーパー切断部材１０をトイレットペーパーホルダー１００に取り付けた状態を説明する図である。
【図３】本発明の第２の実施の形態によるトイレットペーパー切断部材２０の構成を説明する図である。
【図４】本発明の第３の実施の形態によるトイレットペーパー切断部材３０の構成を説明する図である。
【図５】本発明の第４の実施の形態によるトイレットペーパー切断部材４０の構成を説明する図である。
【図６】本発明の第５の実施の形態によるトイレットペーパー切断部材５０の構成を説明する図である。
【図７】本発明の第１の実施の形態によるトイレットペーパー切断部材１０の使用例の変形例を説明する図である。
【発明を実施するための形態】
【００１３】
本発明の第１の実施の形態によるトイレットペーパー切断部材１０について、図１及び図２を用いて説明する。なお、以下の全ての図面においては、理解を容易にするため、各構成要素の寸法や比率などは適宜異ならせて図示している。
【００１４】
図１（ａ）は、トイレットペーパー切断部材１０の正面図であり、図１（ｂ）は、トイレットペーパー切断部材１０の平面図であり、図１（ｃ）は、トイレットペーパー切断部材１０の右側面図である。
【００１５】
トイレットペーパー切断部材１０は、例えばステンレス等の金属製、若しくはプラスチック材料で形成された薄板を折曲（例えば、９０度〜１２０度の範囲、好ましくは１００度〜１１０度の範囲）げることで構成される（図１（ｃ）参照）。図１（ａ）に示すように、薄板で構成されるトイレットペーパー切断部材１０は、トイレットペーパーの引き出し口となる略三角形状をした開口部１０ａを有し、その下方の屈曲した薄板の先端の中央に略三角形の切欠部で構成される収束切断部１０ｂが設けられる。また、図１（ｃ）に示すように、トイレットペーパー切断部材１０の先端部分が斜下方向（水平方向を０度とした場合に０〜４５度の範囲）に屈曲している。このため、トイレットペーパーがトイレットペーパー切断部材１０の先端部分において中途半端に切断されることを防止すると伴に、収束切断部１０ｂにおいて確実に切断し易くなる。
【００１６】
収束切断部１０ｂは、切欠部の両側前部分が緩やかな湾曲形状であり、奥側に向けて狭まるように形成される。このため、トイレットペーパー切断部材１０は、トイレットペーパー（以下、単に「ペーパー」と称する場合がある。）を集めて略束状にして収束切断部１０ｂの奥側に案内しペーパーが容易に切断できる。また、切欠部の奥側の領域でペーパーを挟持することが可能になるため、次に使う人もトイレットペーパー切断部材１０に一切触れることなくペーパーを摘まむことができる。また、収束切断部１０ｂは、人の指が進入できないくらいの狭さであるため、指を傷つける危険性が極めて低く安全性にも優れている。
【００１７】
図２を用いて、本発明の第１の実施の形態によるトイレットペーパー切断部材１０の使用例を説明する。図２は、トイレットペーパーホルダー１００にトイレットペーパー切断部材１０を取り付けた状態の斜視図である。
【００１８】
トイレットペーパー切断部材１０の上端部分がペーパーをカバーするペーパーカバー１００ａの先端付近に沿うように取り付ける。トイレットペーパー切断部材１０は、ペーパーカバー１００ａに粘着剤もしくは接着剤によって取り付けてもよいし、両面テープによって取り付けてもよい。また、差し込み用ゴムやネジ等を用いて取り付けてもよいし、ヒンジによって取り付けてもよい。
【００１９】
ペーパーを開口部１０ａより所望の長さまで引き出し、切断箇所のペーパーを収束切断部１０ｂにおいて略束状に収束させる。収束切断部１０において、収束されたペーパーを左方若しくは右方にテンションをかけることで容易にペーパーを略扇状に切断することが可能である。このため、使用者は、ペーパーの自分が使う部分のみに触れ、自分が使わない部分に触れなくてもよい。このように、本発明の第１の実施の形態によるトイレットペーパー切断部材１０を用いることで、トイレットペーパーホルダー１００やトイレットペーパー切断部材１０に一切触れることなく、容易に所望の長さのトイレットペーパーを引き出し切断することが可能になる。また、図２に示すように、使い終わった状態ではペーパーが収束切断部１０において挟持されるので、ペーパーを引き出す手間の一部を省略することも可能である。また、本実施例ではトイレットペーパーホルダー１００にトイレットペーパー切断部材１０を取り付ける構成であるが、トイレットペーパーホルダー１００のペーパーカバー１００ａにトイレットペーパー切断部材１０が一体形成される場合があってもよい。
【００２０】
本発明の第２の実施の形態によるトイレットペーパー切断部材２０について、図３を用いて説明する。
【００２１】
図３（ａ）は、トイレットペーパー切断部材２０の正面図であり、図３（ｂ）は、トイレットペーパー切断部材２０の平面図であり、図３（ｃ）は、トイレットペーパー切断部材２０の右側面図である。
【００２２】
トイレットペーパー切断部材２０は、例えばステンレス等の金属製、若しくはプラスチック材料で形成された薄板２１、２２のそれぞれが略直角となるように接合することで構成される。図３（ａ）に示すように、薄板２１は、トイレットペーパーの引き出し口となる長方形状をした開口部２１ａを有し、その下方（直下）に薄板２２が接合される。薄板２２の先端の中央に、頂点が二股に分かれている略三角形の切欠部で構成される収束切断部２２ｂが設けられる。また、収束切断部２２ｂは、人の指が進入できないくらいの狭さであるため、指を傷つける危険性が極めて低く安全性にも優れている。
【００２３】
収束切断部２２ｂは、切欠部の両側前部分が緩やかな湾曲形状であり、奥側に向けて狭まり、一番奥まった位置にある頂点部分が二股に分かれるように形成される。このため、トイレットペーパー切断部材２０は、トイレットペーパー（以下、単に「ペーパー」と称する場合がある。）を集めて略束状にして収束切断部２０ｂの奥側に案内しペーパーが容易に切断できる。また、切欠部の奥側の二股に分かれた領域でペーパーを切断することが可能になるため、使用者は左方向、右方向のいずれの方向でもペーパーを移動させることで容易にペーパーの切断が可能となる。また、トイレットペーパー切断部材２０は、第１の実施形態で説明したトイレットペーパー切断部材１０と同様に、トイレットペッパーホルダー１００に取り付けて用いてもよいし、トイレットペッパーホルダー１００のペーパーカバー１００ａに一体形成されてもよい。
【００２４】
本発明の第３の実施の形態によるトイレットペーパー切断部材３０について、図４を用いて説明する。
【００２５】
図４（ａ）は、トイレットペーパー切断部材３０の正面図であり、図４（ｂ）は、トイレットペーパー切断部材３０の平面図であり、図４（ｃ）は、トイレットペーパー切断部材３０の右側面図である。
【００２６】
トイレットペーパー切断部材３０は、例えばステンレス等の金属製、若しくはプラスチック材料で形成された薄板を折曲（例えば、９０度〜１２０度の範囲、好ましくは１００度〜１１０度の範囲）げることで構成される（図４（ｃ）参照）。図４（ａ）に示すように、薄板で構成されるトイレットペーパー切断部材３０は、トイレットペーパーの引き出し口となる長方形状をした開口部３０ａを有し、その下方の屈曲した薄板の先端の中央に略三角形の切欠部で構成される収束切断部３０ｂが設けられる。また、収束切断部３０ｂは、人の指が進入できないくらいの狭さであるため、指を傷つける危険性が極めて低く安全性にも優れている。
【００２７】
収束切断部３０ｂは、切欠部の両側前部分が緩やかに傾斜し、両側後部分が狭まるように傾斜している。また、図４（ｂ）、（ｃ）に示すように、トイレットペーパー切断部材３０は、収束切断部３０ｂの周辺を下側に折り曲げることで収束切断部３０ｂに向けて緩やかに傾斜した傾斜面が形成される。この傾斜面に沿ってペーパーが案内されることで収束切断部３０ｂに収束されやすくなる。また、切欠部の奥側の領域でペーパーを挟持することが可能になるため、次に使う人もトイレットペーパー切断部材３０に一切触れることなくペーパーを摘まむことができる。また、トイレットペーパー切断部材３０は、第１の実施形態で説明したトイレットペーパー切断部材１０と同様に、トイレットペッパーホルダー１００に取り付けて用いてもよいし、トイレットペッパーホルダー１００のペーパーカバー１００ａに一体形成されてもよい。
【００２８】
本発明の第４の実施の形態によるトイレットペーパー切断部材４０について、図５を用いて説明する。
【００２９】
図５（ａ）は、トイレットペーパー切断部材４０の正面図であり、図５（ｂ）は、トイレットペーパー切断部材４０の平面図であり、図５（ｃ）は、トイレットペーパー切断部材４０の右側面図である。
【００３０】
トイレットペーパー切断部材４０は、例えばステンレス等の金属製、若しくはプラスチック材料で形成された薄板で構成される（図４（ｃ）参照）。図４（ａ）に示すように、薄板で構成されるトイレットペーパー切断部材４０は、上端が凹状に形成され、下端の中央に三角形の切欠部で構成される収束切断部４０ｂが設けられる。また、収束切断部４０ｂは、人の指が進入できないくらいの狭さであるため、指を傷つける危険性が極めて低く安全性にも優れている。
【００３１】
トイレットペッパーホルダー１００のペーパーカバー１００ａの先端付近にトイレットペーパー切断部材４０を取り付けることで、トイレットペーパーの引き出し口となる長方形状をした開口部４０ａが形成される。また、トイレットペーパー切断部材４０は、トイレットペッパーホルダー１００のペーパーカバー１００ａに一体形成されてもよい。
【００３２】
本発明の第５の実施の形態によるトイレットペーパー切断部材５０について、図６を用いて説明する。
【００３３】
図６（ａ）は、トイレットペーパー切断部材５０の正面図であり、図６（ｂ）は、トイレットペーパー切断部材５０の平面図であり、図６（ｃ）は、トイレットペーパー切断部材６０の右側面図である。
【００３４】
トイレットペーパー切断部材５０は、例えばステンレス等の金属製、若しくはプラスチック材料で形成された薄板５１、５２のそれぞれが略直角となるように接合することで構成される。図６（ａ）に示すように、薄板５１は、トイレットペーパーの引き出し口となる長方形状をした開口部５１ａを有し、その下方（直下）に薄板５２が接合される。薄板５２の先端の中央に、頂点が略円形の切欠部で構成される収束切断部５２ｂが設けられる。また、収束切断部５２ｂは、人の指が進入できないくらいの狭さであるため、指を傷つける危険性が極めて低く安全性にも優れている。
【００３５】
収束切断部５２ｂは、切欠部の両側前部分が緩やかな湾曲形状であり、奥側に向けて狭まり、一番奥まった位置にある頂点部分が円形で形成される。このため、トイレットペーパー切断部材２０は、トイレットペーパー（以下、単に「ペーパー」と称する場合がある。）を集めて略束状にして収束切断部２０ｂの奥側に案内しペーパーが容易に切断できる。また、切欠部の奥側の円形の領域でペーパーを切断することが可能になるため、使用者は左方向、右方向、後方のいずれの方向でもペーパーを移動させることで容易にペーパーの切断が可能となる。また、トイレットペーパー切断部材２０は、第１の実施形態で説明したトイレットペーパー切断部材１０と同様に、トイレットペッパーホルダー１００に取り付けて用いてもよいし、トイレットペッパーホルダー１００のペーパーカバー１００ａに一体形成されてもよい。
【００３６】
図７を用いて、本発明の第１の実施の形態によるトイレットペーパー切断部材１０の使用例を説明する。図７は、トイレットペーパーホルダー２００にトイレットペーパー切断部材１０を取り付けた状態の斜視図である。
【００３７】
トイレットペーパーホルダー２００は、上蓋部２００ａと下蓋部２００ｂを備える構成である。上蓋部２００ａは、トイレットペーパーを内部に取り込むことができるよう開閉動作が可能な構成であり、下蓋部２００ｂは、トイレットペーパーを載置するため回転しないように固定される構成である。図中に示す矢印は、トイレットペーパーが取出される方向を示している。本例のトイレットペーパーホルダー２００は、トイレットペーパーを通常とは逆向きに載置する構成である。
【００３８】
トイレットペーパー切断部材１０の上端部分が下蓋部２００ｂの先端付近に沿うように取り付ける。トイレットペーパー切断部材１０は、下蓋部２００ｂに粘着剤もしくは接着剤によって取り付けてもよいし、両面テープによって取り付けてもよい。また、差し込み用ゴムやネジ等を用いて取り付けてもよいし、ヒンジによって取り付けてもよい。
【００３９】
上蓋部２００ａと下蓋部２００ｂの間から、トイレットペーパーを所望の長さまで引き出し、切断箇所のトイレットペーパーを収束切断部１０ｂにおいて略束状に収束させる。収束切断部１０において、収束されたトイレットペーパーを左方若しくは右方にテンションをかけることで容易にトイレットペーパーを略扇状に切断することが可能である。本例では、トイレットペーパー切断部材１０は回転しないように固定された下蓋部２００ｂに設けられる。トイレットペーパーにかかるテンションをトイレットペーパー切断部材１０で受け止める構成となるため、容易にトイレットペーパーの切断が可能となる。また、本使用例では、トイレットペーパーを上蓋部２００ａと下蓋部２００ｂの間から取出すため、本例のトイレットペーパー切断部材１０は、開口部１０ａを有さない。また、トイレットペーパーホルダー２００にトイレットペーパー切断部材１０を取り付ける構成であるが、トイレットペーパーホルダー２００の下蓋部２００ｂにトイレットペーパー切断部材１０が一体形成されてもよい。
【００４０】
また、上記発明は次のようにもあらわすことができる。
（付記１）
ロール状のトイレットペーパーが自身の軸心を横向きにして配置されると共に上方を板状のカバーで覆われ、かつカバーは自身の基端部を軸として一定範囲反転可能とされると共にカバーの先端部はトイレットペーパー先方に向かってやや下向きに傾斜した状態で若干延びてなるトイレットペーパーホルダーにおいて、
前記カバーの先端部にはペーパー使用時にペーパーを所望長さに切り取ると同時に切り残された側のペーパーの端部の取出しを容易にする切断収束部材が取り付けられ、しかも切断収束部材は前記カバーと同方向に下向きに一定長さ伸びる第１延長部と、その第１延長部の下端部で折り曲げられ前方に向かって一定長さ下向きに傾斜した第２延長部を備え、かつ前記第１延長部にはペーパーを取出すための横長状のペーパー取出し口が形成され、第２延長部の下方端部にはその中心部付近に狭い隙間で一定深さの間隙状狭持部が形成され、かつ前記開放端部の両外側の端部から前記間隙状狭持部の入り口までは曲線状もしくは直線状に傾斜した状態に形成され、使用時引き出したペーパーが前記間隙状狭持部に移動案内されて嵌り込むようにし、嵌り込みが一定限度に達するとペーパーは移動困難な状態に固定されるが間隙状狭持部を通過した部分はちぎれて切断され、しかも切断時には切り残された側のペーパー端部が束状に収束されて固定されるようにして、次回の使用を容易にできるようにした切断収束部材。
（付記２）
付記１に記載の切断収束部材において、切断収束部材をトイレットペーパーホルダーのカバー先端部への取り付けは、粘着剤、接着剤、両面テープ、又は差し込み用ゴムにより、あるいはこれらを合わせて行うようにした切断収束部材。
（付記３）
付記１または付記２に記載の切断収束部材において、切断収束部材を板状部材もしくはその他の薄肉状部材で構成するようにした切断収束部材。
（付記４）
付記１記載のトイレットペーパーホルダーにおいて、前記カバーの先端部に付記１〜３の何れか一に記載の切断収束部材を取り付けてなるトイレットペーパーホルダー。
（付記５）
付記４記載のトイレットペーパーホルダーにおいて、前記カバーと付記１〜３の何れか一に記載の切断収束部材は一体に構成されてなるトイレットペーパーホルダー。
【００４１】
また、上述の実施の形態で説明したトイレットペーパー切断部材１０〜５０には、ペーパーを引き出すための開口部１０ａ〜５０ａを有する構成であるが、必ずしも当該開口部からトイレットペーパーを引き出さなくてもよい。例えば、使い方がわからない人が当該開口部からトイレットペーパーを引き出さないで使用したとしても収束切断部が設けられているため、少し不便ではあるが、トイレットペーパーホルダーに一切触れることなく所望の長さのトイレットペーパーを引きし切断することが可能である。
【００４２】
本発明は、上述の実施の形態に限らず種々の変形が可能である。また、上述の各実施の形態は、本発明の好適な一例であるので、技術的に好ましい種々の限定が付されているが、本発明の範囲は、上述の説明によって不当に限定されるものではない。また、上述の各実施の形態で説明される構成の全てが本発明の必須の構成要件ではない。また、上述の各実施の形態で説明される構成は相互に組み合わせることが可能である。
【産業上の利用可能性】
【００４３】
本発明は、トイレットペーパーホルダー及びトイレットペーパー切断部材において広く利用可能である。
【符号の説明】
【００４４】
１０、２０、３０、４０、５０  トイレットペーパー切断部材
１０ａ、２１ａ、３０ａ、４０ａ、５０ａ  開口部
１０ｂ、２２ｂ、３０ｂ、４０ｂ、５０ｂ  収束切断部
２１、２２  薄板
１００、２００  トイレットペッパーホルダー
１００ａ  ペーパーカバー
２００ａ  上蓋部
２００ｂ  下蓋部
【図１】
2020039491.tif 000003
【図２】
2020039491.tif 000004
【図３】
2020039491.tif 000005
【図４】
2020039491.tif 000006
【図５】
2020039491.tif 000007
【図６】
2020039491.tif 000008
【図７】
2020039491.tif 000009